(57)【特許請求の範囲】
【請求項１】
調理器本体のトッププレートを支持する天板支持枠の左右両側の上面に固定した所定の長さと横幅を有する一対の基板と同基板の各中央部に所定の高さに直立して長手方向に設けた起立板部とを備えた一対のガイド支持部材と、前記トッププレートの上面に表示された電磁調理具の載置位置の外周に対応する形状に屈曲形成した円弧状の位置決め部と一体に前記ガイド支持部材の起立板部に着脱可能に受承される左右一対の側枠部とを有する方形枠状のガイド部材とにより構成され、
前記ガイド部材の左右一対の側枠部を前記ガイド支持部材の各起立部の上面に形成した
受承部に載置して位置決めした状態にて同ガイド部材の前記円弧状の位置決め部が前記トッププレートの上面に表示された電磁調理具の載置位置の外周に対応して所定の高さに位置するようにした電磁調理具のガイド機構。
【請求項２】
前記一対のガイド支持部材の両起立部の上に前記電磁調理具のガイド部材の両側枠部の一端を載置して前方にスライドさせたとき同側枠部と前記円弧状の位置決め部の両端を連結する横枠部が、前記ガイド支持部材の両起立部の一端に係合して固定されるようにしたことを特徴とする請求項１に記載の電磁調理具のガイド機構。
【発明の詳細な説明】
【技術分野】
【０００１】
本発明は、電磁調理器に装備して使用される電磁調理具用のガイド機構に関する。
【背景技術】
【０００２】
電磁調理器を使用する調理では、食材を収容する鍋やフライパン等の電磁調理具をトッププレートに載置して調理を開始する。この場合、電磁調理具を、トッププレートにおける、誘導電磁コイルからの磁力線が電磁調理具に効率良く発生する部位に載置して、電磁調理具を効率良く加熱することが肝要である。このため、一般には、電磁調理器を構成するトッププレートにおける、電磁コイルからの磁力線が電磁調理具に効率良く発生する部位を表示して、調理人に、電磁調理具を当該表示部位（所定の部位）に誘導するように促している。
【０００３】
しかしながら、電磁調理具を当該表示部位（所定の部位）に的確に載置するには、相当の注意を払わなければならず、特に、調理を大量にかつ迅速に行う必要がある場合には、急ぐあまり慎重を欠き、電磁調理具を当該表示部位に的確に載置することができないおそれがあり、この場合には、電磁調理具（調理材料）に対する加熱が十分にできず、調理を円滑かつ迅速に行うことができなくなるおそれがある。
【０００４】
一方、電磁調理具を当該表示部位に的確に載置した場合においても、調理の途中で、隣り合う電磁調理具同士の接触や、電磁調理具と使用する調理具との接触により、調理途中の電磁調理具が当該表示部位から位置ずれを起こすおそれがあり、この場合には、その後の調理に支障をきたすおそれがある。
【０００５】
このため、調理人に、電磁調理具を当該表示部位に載置することを促し、また、調理の途中の電磁調理具の当該表示部位からの位置ずれを防止する手段を装備した電磁調理器がすでに提案されている（特許文献１を参照）。
【０００６】
当該特許文献には、トッププレートの前後に延びる左右一対のバーを、調理器本体の前後の部位に左右方向へ移動可能に組付けたもので、各バーの中間部にトッププレートの表示部位を包囲する湾曲部を備えたものや、表示部位の上端左側または下端右側を包囲する突片を備えたものが開示されている。
【０００７】
当該電磁調理器におけるこれらバーは、基本的には、調理人に、電磁調理具をトッププレートの表示部位に直視にて誘導すべく機能するとともに、当該表示部位に載置されている電磁調理具を左右から挟んで、電磁調理具が電磁調理途中に当該表示部位から位置ずれを起こすことを防止すべく機能する。また、これらのバーは、電磁調理具をトッププレートの表示部位に誘導するガイド部材としても機能する。
【先行技術文献】
【特許文献】
【０００８】
【特許文献１】実開昭６１−２０６２８８号公報
【発明の概要】
【発明が解決しようとする課題】
【０００９】
ところで、当該電磁調理器が装備する各バーは、電磁調理具を前後方向へ自由に誘導する機能を有するが、トッププレートの表示部位に的確に位置決めすることはできない。このため、中間部にトッププレートの表示部位を包囲する湾曲部を備えた各バーにおいては、各バーを左右方向に開いた状態で電磁調理具を湾曲部内に載置して、この状態で、各バーを左右方向に閉じて、電磁調理具を当該表示部位に的確に誘導する手段を採らざるを得ない。当該誘導手段は極めて煩雑な作業を要することになり、電磁調理する際の電磁調理具の誘導手段としては、好ましいものとはいえない。
【００１０】
また、電磁調理器のトッププレートの表面や、各バーの外周面を清掃する場合には、各バーを調理器本体から取外して行う必要があるが、当該電磁調理器では、各バーを調理器本体から取外す手段が開示されていないことから、各バーを容易には取外し得ない構造になっているものと推測される。このため、トッププレートの表面を清掃する際には、各バーをその都度左右に移動して、各バーが存在しない部位の表面を清掃することになって、トッププレートの表面の清掃が面倒である。また、各バー自体を十分には清掃することはできない。
【００１１】
従って、本発明の主たる目的は、電磁調理に際して、電磁調理具をトッププレートの表示部位（所定の部位）に容易かつ迅速に誘導して、当該所定の部位に的確に位置させることにあり、併せて、電磁調理具を的確に誘導するガイド部材を、調理器本体から容易かつ迅速に取外すことができて、トッププレートの表面、および、ガイド部材の外周面の清掃を迅速かつ確実に行うことができるようにすることにある。
【課題を解決するための手段】
【００１２】
上記の目的を達成するため、本発明は、調理器本体のトッププレートを支持する天板支持枠の左右両側の上面に固定した所定の長さと横幅を有する一対の基板と同基板の各中央部に所定の高さに直立して長手方向に設けた起立板部とを備えた一対のガイド支持部材と、前記トッププレートの上面に表示された電磁調理具の載置位置の外周に対応する形状に屈曲形成した円弧状の位置決め部と一体に前記ガイド支持部材の起立板部に着脱可能に受承される左右一対の側枠部とを有する方形枠状のガイド部材とにより構成され、前記ガイド部材の左右一対の側枠部を前記ガイド支持部材の各起立部の上面に形成した受承部に載置して位置決めした状態にて同ガイド部材の前記円弧状の位置決め部が前記トッププレートの上面に表示された電磁調理具の載置位置の外周に対応して所定の高さに位置するようにした電磁調理具のガイド機構を提供するものである。
【００１３】
本件発明の実施にあたっては、前記一対のガイド支持部材の両起立部の上に前記電磁調理具のガイド部材の両側枠部の一端を載置して前方にスライドさせたとき同側枠部と前記円弧状の位置決め部の両端を連結する横枠部が、前記ガイド支持部材の両起立部の一端に係合して固定されるようにするのが望ましい。
【発明の効果】
【００１５】
上記のように構成した本発明による電磁調理具用のガイド機構においては、電磁調理具のガイド部材を調理器本体に固定したガイド支持部材の起立板部に支持した状態では、同ガイド部材に形成した円弧状の位置決め部がトッププレートの上面に表示された電磁調理具の載置位置の上方に所定の高さにて固定される。このため、調理人は、調理に先立って、鍋やフライパン等の電磁調理具をガイド部材の側枠部に沿って挿入すれば、当該電磁調理具は位置決め部に誘導されて、トッププレートの所定の位置に的確に誘導される。
【００１６】
当該電磁調理器におけるトッププレートの所定の部位は、電磁コイルからの磁力線が電磁調理具に効率良く発生させる部位（従来の表示部位）であるから、当該所定の部位に的確に載置された電磁調理具は、電磁調理中、効率良く加熱される。このため、電磁調理を円滑かつ迅速に行うことができる。
【００１７】
ところで、当該ガイド機構においては、ガイド支持部材に支持されたガイド部材はトッププレートの上面から所定の高さに固定して位置しているため、電磁調理具をガイド部材の両側枠部に沿って位置決め部に誘導する際に、電磁調理具は横枠部を前方へ乗り越えることはなくて、トッププレートの所定の部位に的確に誘導される。また、このような状態で所定の部位に載置された電磁調理具は、その前方の周囲をガイド部材の横枠部にて包囲されていることから、調理の途中で、隣り合う電磁調理具同士が接触し、また、使用する調理具が他の電磁調理具に接触しても、ガイド部材の横枠部が調理途中の電磁調理具の載置部位からの位置ずれを規制し、その後の調理に対する支障を解消する。
【００１８】
また、当該ガイド機構のガイド部材は、その両側枠部をガイド支持部材の両起立板部の上縁に屈曲形成した長手方向の受承部に支持するに過ぎないので、ガイド支持部材に対する着脱が容易である。このため、トッププレートの表面の清掃や、ガイド部材の清掃の際には、ガイド部材をガイド支持部材から容易に取り外すことができるため、トププレートの表面の清掃や、ガイド部材の清掃を容易に手早く行うことができる。なお、これらの部材の清掃終了後には、ガイド支持部材に対してガイド部材を容易かつ手早く取付けて支持することができる。
【図面の簡単な説明】
【００２０】
【図１】本発明の一実施形態に係るガイド機構を装備した電磁調理器の平面図である。
【図２】同電磁調理器の拡大した正面図である。
【図３】同電磁調理器からガイド部材を分離した状態の斜視図である。
【図４】同電磁調理器が装備するガイド機構におけるガイド部材のガイド支持部材に対する前側の支持状態を拡大して示す平面図である。
【図５】同ガイド機構におけるガイド部材のガイド支持部材に対する後側の支持状態を拡大して示す平面図である。
【図６】同ガイド機構におけるガイド部材をガイド支持部材に取付ける作業手順を示す側面図である。
【図７】同電磁調理器における調理の準備完了状態を示す図３に対応する斜視図である。
【図８】本発明の他の実施形態に係るガイド機構を装備した電磁調理器の図１に対応する平面図である。
【図９】同ガイド機構におけるガイド部材のガイド支持部材に対する支持状態を示す側面図である。
【発明を実施するための形態】
【００２１】
本発明は電磁調理器に装備して使用する電磁調理具用のガイド機構に関する。本発明に係るガイド機構は、調理器本体の天板支持枠に支持されたトッププレートの所定の部位に電磁調理具を誘導すべく機能するもので、図１〜図３には、本発明の一実施形態に係るガイド機構１０を装備した電磁調理器２０を示している。
【００２２】
当該電磁調理器２０は、それ自体公知のもので、調理器本体の天板支持枠２１の中央部には、トッププレート２２が支持されており、トッププレート２２には、電磁調理に先立って電磁調理具を載置すべき部位が表示されている。当該表示部位Ａ，Ｂは、本発明で規定する所定の部位に該当するもので、調理器本体内のコイル支持台上に支持された誘導加熱コイルの設置位置に対応する部位であって、電磁調理具を効率良く加熱することができる部位である。
【００２３】
当該電磁調理器２０は、２箇所の表示部位Ａ，Ｂ上で電磁調理ができるように構成されていて、調理器本体には、各表示部位Ａ，Ｂ上での調理を操作するためのフロントパネル２３，２４が上下に２段に設けられている。上段のフロントパネル２３は、後側の表示部位Ｂ上での調理を行うための操作パネルであり、下段のフロントパネル２４は、前側の表示部位Ａ上での調理を行うための操作パネルである。また、これらの表示部位Ａ，Ｂでの調理に対応して、トッププレート２２における各表示部位Ａ，Ｂの後側右方には、当該表示部位にて調理中であることを表示する加熱表示ａ，ｂが設けられている。
【００２４】
しかして、当該ガイド機構１０は、図３に、構成部材を互いに分離して示すように、ガイド部材１０ａと、左右一対のガイド支持部材１０ｂにより構成されている。
【００２５】
ガイド部材１０ａは、非磁性材料（ＳＵＳ３０４等）からなる丸棒、円形パイプ等を屈曲して形成された方形枠状をなすもので、ガイド部材１０ａの左右の枠部である側枠部１１ａ，１１ｂは直線状を呈し、ガイド部材１０ａの前後の枠部である横枠部１２ａ，１２ｂの中間部には、前方へ膨出する湾曲状（円弧状）の凹部である位置決め部１２ｃ，１２ｄを備えている。当該ガイド部材１０ａは、後述する左右の両ガイド支持部材１０ｂに取付けられて支持される。各位置決め部１２ｃ，１２ｄは、トッププレート２２上の表示部位Ａ，Ｂの外周側円周の前側円弧部に対応する円弧状に形成されている。
【００２６】
左右の各ガイド支持部材１０ｂは、互いに左右対称に形成されているもので、この点を除けば、実質的には同一形状および同一構造となっている。各ガイド支持部材１０ｂは、電磁調理器２０を構成する天板支持枠２１の左右の部位にて互いに対向して立設されていて、トッププレート２２の左右の側部に沿って位置している。
【００２７】
ガイド支持部材１０ｂは、図１〜図３に示すように、起立板部１３と基板１４からなる断面Ｌ字状に形成された長尺の支持基体を主体とするもので、当該支持基体を構成する起立板部１３は、上方の部位を切欠かれた前後方向に長い低板部１３ａと、低板部１３ａを挟んだ前後の部位である前後方向に短い高板部１３ｂからなり、低板部１３ａの上縁部には内方および上方へ所定長さ延びる断面Ｌ字状に屈折形成された受承部１５ａを備え、各高板部１３ｂの上縁部には内方へ所定長さ延びる平板状に屈折形成された係合部１５ｂを備えている。また、起立板部１３の前方側に位置する係合部１５ｂの前端部には、係合部１５ｂと同等の幅にて下方へ延びる平板状に屈折形成されたストッパ部１５ｃを備えている。
【００２８】
当該ガイド支持部材１０ｂは、その長尺の基板１４を、電磁調理器２０を構成する天板支持枠２１の前後方向に延びる側部に固定されて、トッププレート２２の前後方向の側部に沿って立設されている。左右の各ガイド支持部材１０ｂは、この状態で、互いに対向して位置している。
【００２９】
ガイド部材１０ａは、互いに対向する各ガイド支持部材１０ｂに着脱可能に支持されている。図１には、ガイド部材１０ａを各ガイド支持部材１０ｂに対して支持した支持状態を示しており、特に、図４および図５には、ガイド部材１０ａの各ガイド支持部材１０ｂに対する前側の支持状態、および、後側の支持状態を拡大して示している。
【００３０】
ガイド部材１０ａを各ガイド支持部材１０ｂに取付けた状態では、ガイド部材１０ａは、その側枠部１１ａ，１１ｂを、ガイド支持部材１０ｂの受承部１５ａにて受承されていて前後方向に延びていて、受承部１５ａの前後に位置する一対の係合部１５ｂが各側枠部１１ａ，１１ｂの上方への離脱を阻止している。当該取付け状態にあるガイド部材１０ａは、ガイド支持部材１０ｂの低板部１３ａの高さ分だけ、トッププレート２２から浮いた状態に支持されていて、この支持状態では、ガイド部材１０ａの前側の位置決め部１２ｃを表示部位Ａの外周の前側円弧部に対応させ、かつ、ガイド部材１０ａの後側の位置決め部１２ｄを表示部位Ｂの外周の前側円弧部に対応させている。
【００３１】
図６には、ガイド部材１０ａをガイド支持部材１０ｂに取付けるための作業手順を示している。ガイド部材１０ａは、ガイド支持部材１０ｂに取付けるには、先ず、同図（ａ）に示すように、後側の横枠部１２ｂ側から、ガイド支持部材１０ｂの受承部１５ａを通して、後側の係合部１５ｂ内に挿通し、次いで、同図（ｂ）に示すように、ガイド部材１０ａを下降して側枠部１１ｂを受承部１５ａに受承させる。最後に、同図（ｃ）に示すように、ガイド部材１０ａをそのままの状態で前方に引き出して、前側の横枠部１２ａを前側の係合部１５ｂの前側に設けたストッパ１５ｃに当接させる。
【００３２】
これにより、ガイド部材１０ａは、図１および図２に示すように、ガイド支持部材１０ｂの低板部１３ａの高さ分だけ、トッププレート２２から浮いた状態に支持されて、ガイド部材１０ａの前側の位置決め部１２ｃを表示部位Ａの外周の前側円弧部に対応させ、かつ、ガイド部材１０ａの後側の位置決め部１２ｄを表示部位Ｂの外周の前側円弧部に対応させる。
【００３３】
当該ガイド機構を装備する電磁調理器を使用するに際しては、図７に示すように、電磁調理具である例えば鍋Ｃ，Ｄを、ガイド部材１０ａを通して、トッププレート２２上の表示部位Ａ，Ｂに載置する。鍋Ｃをその柄ｃを持って、図１に示す状態のガイド部材１０ａの前側の位置決め部１２ｃに挿入すれば、鍋Ｃは横枠部１２ａに沿って位置決め部１２ｃに誘導されて、図７に示すように、トッププレート２２の前側の表示部位Ａに位置する。鍋Ｃの位置決め部１２ｃへの挿入時には、ガイド部材１０ａは、トッププレート２２より所定高さ上方に位置していることから、鍋Ｃはその外周を、位置決め部１２ｃを構成する横枠部１２ａに摺接した状態で誘導されるため、当該横枠部１２ａを乗り越えることなく、円滑かつ迅速に、前側の表示部位Ａ上に的確に位置することになる。
【００３４】
同様に、鍋Ｄをその柄ｄを持って、図１に示す状態のガイド部材１０ａの後側の位置決め部１２ｄに挿入すれば、鍋Ｄは横枠部１２ｂに沿って位置決め部１２ｄに誘導されて、図７に示すように、トッププレート２２の後側の表示部位Ｂに位置するが、鍋Ｄはその外周を、位置決め部１２ｄを構成する横枠部１２ｂに摺接した状態で誘導されるため、当該横枠部１２ｂを乗り越えることなく、円滑かつ迅速に、後側の表示部位Ｂ上に的確に位置することになる。
【００３５】
このように、各表示部位Ａ，Ｂ上に的確に載置された鍋Ｃ，Ｄは、電磁調理中、効率良く加熱されることから、鍋Ｃ，Ｄを使った電磁調理を円滑かつ迅速に行うことができる。また、鍋Ｃ，Ｄは、横枠部１２ａ，１２ｂの位置決め部１２ｃ，１２ｄにて前側を包囲されていることから、調理の途中で、隣り合う鍋Ｃ，Ｄ同士が接触たり、使用するかき混ぜ具等の調理具が鍋Ｃ，Ｄに接触しても、鍋Ｃ，Ｄは表示部位Ａ，Ｂから位置ずれを起こすことはなく、その後の調理に対する支障が生じることはない。
【００３６】
一方、当該電磁調理器の清掃、特に、トッププレート２２の表面や、ガイド部材１０ａの外周の清掃では、清掃に先立って、ガイド部材１０ａの取付構造上、ガイド部材１０ａを一旦引き戻して、各ガイド支持部材１０ｂから斜め前方へ引き抜けば、ガイド部材１０ａをガイド支持部材１０ｂから抜き出すことができる。このため、トッププレート２２の表面を何等の障害物もなく、円滑かつ迅速に清掃することができ、また、ガイド部材１０ａをそれ単独で、円滑かつ迅速に清掃することができる。また、これらの清掃後には、ガイド部材１０ａを各ガイド支持部材１０ｂに取付ける必要があるが、ガイド部材１０ａの取付構造上、ガイド部材１０ａを各ガイド支持部材１０ｂに円滑かつ迅速に取付けて支持することができる（図６の取付け作業手順を参照）。
【００３７】
図８および図９には、本発明に係るガイド機構の他の実施形態を示している。当該ガイド機構３０は、ガイド部材３０ａと、左右一対のガイド支持部材３０ｂとからなるものである。ガイド機構３０を構成するガイド部材３０ａは、ガイド機構１０を構成するガイド部材１０ａとは形状を大きく異にするが、各ガイド支持部材３０ｂは、ガイド機構１０を構成するガイド支持部材１０ｂとは、実質的に同一の構造となっている。
【００３８】
ガイド部材３０ａは、非磁性材料（ＳＵＳ３０４等）からなる丸棒、円形パイプ等を屈曲して形成された方形枠状をなすもので、ガイド部材３０ａの左右の枠部である側枠部３１ａ，３１ｂは直線状を呈し、ガイド部材３０ａの前後の枠部である横枠部３２ａ，３２ｂはそれ自体、基端部から前方へ膨出する湾曲状に形成された大きい凹部である位置決め部３２ｃ，３２ｄとなっている。ガイド部材３０ａは、この点で、ガイド部材１０ａとは相違する。当該ガイド部材３０ａは、外形寸法が大きな鍋、フライパン等の電磁調理具に対して良好に使用される。
【００３９】
一方、ガイド支持部材３０ｂは、ガイド支持部材１０ｂと同様に、起立板部３３と底板部３４からなる断面Ｌ字状に形成された長尺の支持基体を主体とするもので、当該支持基体を構成する起立板部３３は、上方の部位を切欠かれた前後方向に長い低板部３３ａと、低板部３３ａを挟んだ前後の部位である前後方向に短い高板部３３ｂからなり、低板部３３ａの上縁部には内方および上方へ所定長さ延びる断面Ｌ字状に屈折形成された受承部３５ａを備え、各高板部３３ｂの上縁部には内方へ所定長さ延びる平板状に屈折形成された係合部３５ｂを備えている。また、起立板部３３の前方側に位置する係合部３５ｂの前端部には、係合部３５ｂと同等の幅にて下方へ延びる平板状に屈折形成されたストッパ部３５ｃを備えている。
【００４０】
当該ガイド支持部材３０ｂは、ガイド支持部材１０ｂと同様に、その底板部３４を、電磁調理器２０を構成する天板支持枠２１の前後方向に延びる側部に固定されて、トッププレート２２の前後方向の側部に沿って立設されている。左右の各ガイド支持部材３０ｂは、この状態で、互いに対向して位置している。
【００４１】
ガイド部材３０ａは、互いに対向する各ガイド支持部材３０ｂに、図６に示す作業手順に従って取付けられて、着脱可能に支持されている。ガイド部材３０ａを各ガイド支持部材３０ｂに取付けた状態では、ガイド部材３０ａは、その側枠部３１ａ，３１ｂを、ガイド支持部材３０ｂの受承部３５ａにて受承されて前後方向に延びていて、受承部３５ａの前後に位置する一対の係合部３５ｂが各側枠部３１ａ，３１ｂの上方への離脱を阻止している。当該取付け状態にあるガイド部材３０ａは、ガイド支持部材３０ｂの低板部３３ａの高さ分だけ、トッププレート２２から浮いた状態に支持されていて、この支持状態では、ガイド部材３０ａの前側の位置決め部３２ｃを表示部位Ａの外周の前側円弧部に対応させ、かつ、ガイド部材３０ａの後側の位置決め部３２ｄを表示部位Ｂの外周の前側円弧部に対応させている。
【００４２】
当該ガイド機構３０を構成するガイド部材３０ａは、鍋Ｃ，Ｄをトッププレート２２の各表示部位Ａ，Ｂに載置する場合には、ガイド部材１０ａとほぼ同様に誘導機能を発揮する。例えば、鍋Ｃをガイド部材３０ａの前側の位置決め部３２ｃに挿入すると、鍋Ｃの前側は、横枠部３２ａのいずれかの部位に当接しつつ位置決め部３２ｃの中央部に誘導されて、鍋Ｃはトッププレート２２の前側の表示部位Ａ上に的確に載置される。なお、鍋Ｄについても、鍋Ｃと同様に、後側の表示部位Ｂ上に的確に載置される。
【００４３】
このように、当該ガイド機構３０を構成するガイド部材３０ａは、外形寸法が大きな鍋、フライパン等の電磁調理具に好適に使用される。一方、当該ガイド機構１０を構成するガイド部材１０ａは外形寸法が中程度の電磁調理具に好適に使用される。このため、本発明に係るガイド機構においては、位置決め部の寸法を異にする複数種のガイド部材を用意して、その都度、電磁調理具の大きさに適した寸法の位置決め部を有するガイド部材を選択して使用することができる。
【００４４】
また、本発明に係る電磁調理具用のガイド機構においては、使用する鍋やフライパン等に電磁調理具を、設置されているガイド部材１０ａ（３０ａ）の位置決め部１２ｃ，１２ｄ（３２ｃ，３２ｄ）の大きさに合わせて選択して使用することができる。
【符号の説明】
【００４５】
１０…ガイド機構、１０ａ…ガイド部材、１０ｂ…ガイド支持部材、１１ａ，１１ｂ…側枠部、１２ａ，１２ｂ…横枠部、１２ｃ、１２ｄ…位置決め部、１３…起立板部、１３ａ…低板部、１３ｂ…高板部、１４…底板部、１５ａ…受承部、１５ｂ…係合部、１５ｃ…ストッパ部、２０…電磁調理器、２１…天板支持枠、２２…トッププレート、２３，２４…フロントパネル、３０…ガイド機構、３０ａ…ガイド部材、３０ｂ…ガイド支持部材、３１ａ，３１ｂ…縦枠部、３２ａ，３２ｂ…横枠部、３２ｃ、３２ｄ…位置決め部、３３…起立板部、３３ａ…低板部、３３ｂ…高板部、３４…底板部、３５ａ…受承部、３５ｂ…係合部、３５ｃ…ストッパ部、Ａ，Ｂ…表示部位、ａ，ｂ…加熱表示、Ｃ，Ｄ…鍋、ｃ，ｄ…柄。
【図１】
0005795887.tif 000002
【図２】
0005795887.tif 000003
【図３】
0005795887.tif 000004
【図４】
0005795887.tif 000005
【図５】
0005795887.tif 000006
【図６】
0005795887.tif 000007
【図７】
0005795887.tif 000008
【図８】
0005795887.tif 000009
【図９】
0005795887.tif 000010